(57)【要約】【課題】前後身頃における脚の付け根部へのフィット性を高める。【解決手段】幅方向中央で前後方向に延在する中央易折れ部と、前後方向かつ幅方向の中央部から前後方向端に向かって延在する一対で略Ｖ字状又はハ字状の側部易折れ部とを設けた吸収性物品により解決される。【選択図】図１
2008183160.tif 000002
【特許請求の範囲】
【請求項１】
透液性の表面シートと不透液性の裏面シートとの間に吸収体が介在された吸収性物品であって、
幅方向中央で前後方向に延在する中央易折れ部と、
前後方向かつ幅方向の中央部から前後方向端縁側に向かって延在する一対で略Ｖ字状又は略ハ字状の側部易折れ部とを有する、ことを特徴とする吸収性物品。
【請求項２】
中央易折れ部の前後端部の何れか一方端部又はその近傍は、他の部分よりも液吸収性が高い請求項１記載の吸収性物品。
【請求項３】
中央易折れ部及び側部易折れ部の少なくとも一方は、押圧加工によりに形成された線である、請求項１又は２記載の吸収性物品。
【請求項４】
中央易折れ部及び側部易折れ部の少なくとも一方は、吸収体の密度を他の部分より疎にして形成されている、請求項１〜３の何れか１項に記載の吸収性物品。
【請求項５】
吸収体は、積層構造を有し、中央易折れ部は、側部易折れ部よりも肌当接面に近い層に形成されている請求項１〜４の何れか１項に記載の吸収性物品。
【発明の詳細な説明】
【技術分野】
【０００１】
本発明は、使い捨ておむつや吸収パッド等の体液を吸収するための吸収性物品に関する。
【背景技術】
【０００２】
使い捨ておむつ等の体に装着して用いる吸収性物品においては、周知のとおり漏れ防止性を高めるために種々の対策が採られている。
例えば、体に対するフィット性を高めることがよく行われ、その具体的手段として、物品の中央部に前後方向に沿って可撓軸を並設することで股間部にフィットする形状に変形しやすいものとする技術（例えば、特許文献１）などが知られる。
【特許文献１】特開２００６−１４９５７１
【発明の開示】
【発明が解決しようとする課題】
【０００３】
しかしながら、特許文献１に代表される従来技術は、股間部でのフィット性は高まるものの、脚の付根部分のなかでも特に体の前後面に位置する鼠径部や臀溝等などの部分についてのフィット性や、股間部からこれらの部位にかけて形成される凹部について考慮されておらず、かかる部分からの漏れが十分に防止されない。
そこで本発明の主たる課題は、股間部はもちろん鼠径部等の体の前後面における脚の付根部分のフィット性に優れる吸収性物品を提供することにある。
【課題を解決するための手段】
【０００４】
上記課題を解決した本発明は次記載のとおりである。
＜請求項１記載の発明＞
透液性の表面シートと不透液性の裏面シートとの間に吸収体が介在された吸収性物品であって、
幅方向中央で前後方向に延在する中央易折れ部と、
前後方向かつ幅方向の中央部から前後方向端縁側に向かって延在する一対で略Ｖ字状又は略ハ字状の側部易折れ部とを有する、ことを特徴とする吸収性物品。
【０００５】
（作用効果）
本発明の吸収性物品は、幅方向中央に前後方向に延在する中央易折れ部によって折れ易いため、装着時に特に幅狭い股間部において無駄な皺が発生しづらく物品側縁が股間部において大腿部内側に対して効果的にフィットするようになるとともに、中央易折れ部により形成される折目や撓みに沿って体液が物品前後方向に導かれて拡散される。
そして、その中央易折れ部の前側延在部分又は後側延在部分と、一対でＶ字状の側部易折れ部により形成される三叉形状部分の折れと撓みにより放射状に皺が形成され、前側（背側）においては股間から鼠径部にかけて広がり、後側（腹側）においては股間部から臀裂及び臀溝にかけて広がる、体の前後面の放射状の凹部に好適にフィットするようになる。
そのうえ側部易折れ部の折れと撓みにより、臀溝や鼠径部に追随してフィットするにようになるとともに、体液が側部易折れ部に沿って導かれて拡散される。
【０００６】
＜請求項２記載の発明＞
中央易折れ部の前後端部の何れか一方端部又はその近傍は、他の部分よりも液吸収性が高い請求項１記載の吸収性物品。
【０００７】
（作用効果）
装着時に中央易折れ部により形成された折目線に沿って線端部に導かれた体液を効果的に吸収することができるようになる。
【０００８】
＜請求項３記載の発明＞
中央易折れ部及び側部易折れ部の少なくとも一方は、押圧加工により形成された線である、請求項１又は２記載の吸収性物品。
【０００９】
（作用効果）
簡易に形成でき、しかも確実に折り曲げ位置とすることができる。
【００１０】
＜請求項４記載の発明＞
中央易折れ部及び側部易折れ部の少なくとも一方は、吸収体の密度を他の部分より疎にして形成されている、請求項１〜３の何れか１項に記載の吸収性物品。
【００１１】
（作用効果）
請求項３と作用効果に加えて、厚み方向への変形性に優れ、より一層フィット性の高いものとなる。
【００１２】
＜請求項５記載の発明＞
吸収体は、積層構造を有し、中央易折れ部は、側部易折れ部よりも肌当接面に近い層に形成されている請求項１〜４の何れか１項に記載の吸収性物品。
【００１３】
（作用効果）
本発明は、吸収体は層構造であるので液吸収性に優れる。特に、側部易折れ部よりも側縁側における液吸収量を増加できる。また、装着時に、折れのための力が強く加わる中央易折れ部が肌当接面に近い位置にあるため体の形状に沿ってフィットし易くなる。
なお、本発明における吸収体は、積層層構造を有するとは、吸収体を構成する吸収コアが積層構造であるほか、複数の吸収体が積層された構造も含む意味である。
【発明の効果】
【００１４】
以上のとおり本発明によれば、股間部はもちろん鼠径部等の体の前後面における脚の付根部分等のフィット性にも優れる吸収性物品が提供される。
【発明を実施するための最良の形態】
【００１５】
次いで、本発明の吸収性物品の実施の形態を使い捨ておむつを例に、図面を参照しながら以下に詳述する。
『第１の実施の形態』
第１の実施の形態に係る使い捨ておむつＸ１を図１〜７に示す。なお、図１〜２が本形態の代表例であり、以下この例を基本としつつ、適宜他の例として図３〜７を参照しつつ説明する。
本形態の使い捨ておむつＸ１は、図１に示されるとおり、着用時に着用者の腹側に位置する腹側部Ｆ、背側に位置する背側部Ｂ、及び腹側部Ｆと該背側部Ｂとの間に位置する股間部Ｍを有するおむつ本体Ｚを備え、このおむつ本体Ｚの背側部Ｂの左右両側縁部に連設された左右一対の止着片４，４を備えるいわゆる止着式の使い捨ておむつＸ１である。
本形態では、前記止着片４，４は、不織布シートにメカニカルファスナーの雄材４１，４１を配したものであり、止着部５はメカニカルファスナーの雌剤シートを腹側部Ｆの外面側に接着して形成されている。なお、止着片４，４及びこれが係止される止着部５の構成は、既知の止着式使い捨ておむつに用いられる構成を適宜選択し得る。
【００１６】
おむつ本体Ｚは、透液性表面シート１と不透液性裏面シート２との間に吸収体３が介在された層構造を有し、前記透液性表面シート１及び不透液裏面シート２の前後端部及び両側部が前記吸収体３よりも外方に延出されているとともに、これら延出した部位において両シートが接合されて形成されている。接合の方法は、特に限定されない。既知の方法による。例えば、ホットメルト接着、超音波シール、ヒートシール（熱融着）、ヒートプレス（熱圧着）又はこれらの組み合わせによることができる。
おむつ本体Ｚの平面外形は、図示されるとおり、両側の前後方向中央部が凹欠されて幅方向中央に湾曲する脚周り縁ＥＬ，ＥＬが形成されているとともに、この脚周り縁ＥＬ，ＥＬより前後方向縁側に、両側脚周り縁ＥＬ，ＥＬ間よりも幅広の腹側胴回り部、背側胴回り部が形成された略砂時計型の平面外形をなす。
本形態では、吸収体３もまたおむつ本体Ｚと同様に、両側の前後方向中央部が凹欠された平面外形をなしており、脚周り部へのフィット性が高められている。
【００１７】
ここで、透液性表面シート１は、ナイロン、ポリエチレンテレフタレート等の糸を平織り等したネット状のシート素材、多数の透孔を形成したフィルムシート材、ポリエチレンやポリプロピレン等のフィルムシート材、透液性を有する織布、不織布が適し、特に不織布が適する。不織布としては、ポリエチレンまたはポリプロピレン等のオレフィン系、ポリエステル系、ポリアミド系等の合成繊維、レーヨンやキュプラ等の再生繊維、綿等の天然繊維を繊維素材として、スパンレース法、スパンボンド法、サーマルボンド法、メルトブローン法、ニードルパンチ法等の適宜の加工法によって加工したものを用い得る。
ＳＭＳ不織布、ポイントボンド不織布あるいは、ポリエチレンフィルム等のプラスチックフィルムや、プラスチックフィルムと不織布とをラミネートしたラミネート不織布など層構造の不織布も用い得る。
【００１８】
不透液性裏面シート２は、ポリエチレンやポリプロピレン等の既知の樹脂シート、特には、ポリエチレンやポリプロピレン等の樹脂中に無機充填剤を混練してシートを成形した後、一軸または二軸方向に延伸することにより得られる微多孔性の樹脂シートが好適に用いられる。不透液性裏面シート２は、肌触り性向上のために樹脂性シートの外面に不織布等からなる外装シートを積層したものが特に好適である。外装シートに用いうる不織布シートは、上記透液性表面シートに用いられるのと同様である。
【００１９】
吸収体３は、積繊パルプ、不織布などの繊維内に吸収性ポリマーを散在させた吸収コアをクレープ紙、不織布シート、孔開きシート等の透液性シートによって包皮して構成することができる。
高吸収性ポリマーとしては、カルボキシメチルセルロース、ポリアクリル酸およびその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、あるいはイソブチレンとマレイン酸との共重合体等が好適に用いられる。製品の吸湿によるブロッキング性を抑制するためにブロッキング防止剤が添加されたものも用いることができる。また高吸収性ポリマーとしては、粉体状、粒子状、顆粒状、ペレット状、ゾル状、サスペンジョン状、ゲル状、フィルム状、不織布状等のさまざまな形態をもったものがあるが、これらはいずれも本発明において使用可能であり、特に粒子状のものが好適に使用される。
【００２０】
一方、おむつ本体Ｚの幅方向両側部には、前後方向に沿って、脚周り弾性伸縮部材６，６…が伸張状態で固定されている。本形態では、脚周り弾性伸縮部材６，６…は、表裏面シート間に配されており、いわゆる平面ギャザーを構成するように配されている。脚周り弾性伸縮部材の固定は、隣接する適宜のシートに対してホットメルト接着剤などを用いて行うことができる。
脚周り弾性伸縮部材６，６…は、脚周り縁ＥＬ，ＥＬに沿って、若干、おむつ本体Ｚの幅方向中心側に向かって湾曲した形状となるように配されており、各端は脚周り縁ＥＬ，ＥＬよりも概ね０〜５０ｍｍ程度前後方向縁側に位置している。
図からも明らかなとおり、脚周り弾性伸縮部材６，６…は複数本配することができ、その場合の本数は２〜８本程度とするのがよい。また、隣接する脚周り弾性伸縮部材の間隔は４〜１０ｍｍとするのがよい。
脚周り弾性伸縮部材６，６…の存在によって、装着時に脚周り縁部が肌当接面側に弾性伸縮性をもって押し上げられ、効果的に装着者の脚周りにフィットする。なお、脚周りとは付け根部分ではなくそれよりも脚先側に位置する部分である。
脚周り弾性伸縮部材６は、本形態では、代表的に糸ゴムを用いている。糸ゴムとしては、合成ゴム又は天然ゴムからなるもの、天然ゴムを主成分とするものが適する。
脚周り弾性伸縮部材６は、糸ゴム以外に、一般的によく知られたエラストマー樹脂を含む、糸状、紐状、帯状、網状、フォーム状等に成形（成型）された、ゴム弾性を有する材料を用いることができる。
【００２１】
他方、弾性伸縮部材６の固定、シート１，２同士の張り合わせ等に用いるホットメルト接着剤は、この種の使い捨ておむつに用いられている既知のものが使用可能である。スチレン系ブロック共重合体やポリウレタン系ブロック共重合体、ポリエステル系ブロック共重合体、ポリアミド系ブロック共重合体、共重合体ブレンドのベースポリマーと、ロジン系樹脂、ポリテルペン系樹脂、テルペンフェノール系樹脂、ジシクロペンタジエン系石油樹脂、脂肪族系石油樹脂、芳香族系石油樹脂、共重合系石油樹脂、脂環族系石油樹脂、キシレン樹脂およびエラストマー等の常温時固体の接着性付与成分と、ワックス類などの可塑剤成分と、酸化防止剤を構成成分として少なくとも含むものが好適である。
【００２２】
他方、本形態の使い捨ておむつＸ１は、おむつ本体Ｚ１の吸収体介在部に、幅方向中央で前後方向に延在する帯状の中央易折れ部１０と、前後方向かつ幅方向の中央部から前後方向の背側縁Ｅ２に向かって延在する一対で略Ｖ字状となる帯状の側部易折れ部１１，１１とが設けられている。
これら易折れ部１０，１１は、その一部が前記脚周り弾性伸縮部材６，６間及び吸収体３の凹欠部縁の間に位置するように配されており、装着時に脚周り弾性伸縮部材６，６…の伸縮力が各易折れ部１０に作用して、易折れ部１０での折れが容易に誘発され、肌当接面側が肌に対してフィットしやすい立体形状に変形されやすく、また、立体形状となったときには吸収体３の両側凹欠縁部が肌面側に起立されやすいようになっている。
【００２３】
より具体的に易折れ部について詳述すると、図１に示す本形態では、中央易折れ部１０は、一方端１０ａがおむつ本体Ｚの腹側縁Ｅ１から所定距離離間した位置にあり、他方端１０ｂはおむつ本体Ｚの股間部Ｍ又は股間部Ｍよりも若干背側に位置している。少なくともこの他方端１０ｂはおむつ本体Ｚの前後方向の中心Ｃよりも背側縁Ｅ２に近い位置にあるのが望ましい。
本形態における中央易折れ部の配置態様を採るならば、前記一方端１０ａとおむつ本体Ｚの腹側縁Ｅ１との間の離間距離Ｌ１は、おむつ本体Ｚの大きさによらず、３ｃｍ以上、好適には７ｃｍ以上離間させるのが望ましい。３ｃｍ未満であると中央易折れ部１０に沿って導かれる体液が腹側縁Ｅ１から漏れるおそれが高まる。
また、本形態における中央易折れ部１０の他方端１０ｂの位置は、所謂大人用おむつで０．５〜７ｃｍ程度、所謂子供用おむつで０．１〜５ｃｍ程度、前後方向の中心Ｃよりも背側に位置している。中央易折れ部１０の具体的な長さについては、上記各端の位置に応じて適宜の長さとされる。
なお、本形態では、中央易折れ部１０は、例えば、図３に示すように、背側Ｂに長くなるように延在されている形態もとり得る。この場合における各端の位置は、前後方向中心線で上記説明した位置と対象とすればよい。
【００２４】
一方、側部易折れ部１１，１１は、図示されるとおり、中央易折れ部１０の幅方向両側にそれぞれ位置されており、一対で略Ｖ字状又は略ハ字状をなす。
側部易折れ部１１の一方端１１ａは、前後方向の中央部、すなわち股間部Ｍ又は、股間部Ｍよりも若干背側又は腹側位置にあれば特に限定されない。好適には、所謂大人用おむつであれば前後方向の中心Ｃから前後方向に２〜１５ｃｍ程度の範囲、子供用であれば１〜１０ｃｍ程度の範囲にあるのが望ましい。
側部易折れ部１１，１１の背側縁Ｅ２に近い他方端１１ｂ，１１ｂの具体的な位置は、おむつ本体Ｚの形状及び大きさによって相違される。一例を挙げれば、所謂大人用おむつであれば、おむつ本体Ｚの幅方向中心線Ｐから３〜１３ｃｍ程度、前後方向中心線Ｃから１〜１０ｃｍ程度離間した位置とするのがよい。所謂子供用おむつであれば、おむつ本体の幅方向中心線Ｐから１〜５ｃｍ程度、前後方向中心線Ｃから０．５〜８ｃｍ程度離間した位置とするのがよい。
本形態では図示例のとおり、側部易折れ部１１，１１の一方端１１ａは、中央易折れ部上にあって、側部易折れ部１１，１１と中央易折れ部１０とは一体となっている。
なお、他の例としてハ字状にする場合には、図４に示すように中央易折れ部１０と若干離間する形態となってもよく、この場合には、離間距離は４ｃｍ未満、好適には３ｃｍ未満にするのがよい。
【００２５】
さらに、図示はしないが、中央易折れ部１０の腹側端１０ａが股間部に位置している場合には、側部易折れ部１１のＶ字状の頂点１１ｂが前記中央易折れ部１０の腹側端１０ａよりも、おむつ本体Ｚの腹側縁Ｅ１に近い位置するように構成することもできる。
他方、側部易折れ部１１，１１は、幅方向中心線Ｐとの間の角度∠αが３０〜６０度であるのが望ましい。なお、左右の側部易折れ部１１で幅方向中心線Ｐに対する角度が異なっていてもよいが、等角をなすように配置するのが望ましい。
なお、図１に示す側部易折れ部１１，１１は、一方端から他方端に向かって直線状に延在しているが、図５に示されるように、湾曲線状に形成してもよい。
【００２６】
他方、中央易折れ部の幅Ｌ２及び側部易折れ部の幅Ｌ３は、吸収体の厚さ、おむつの大きさ等により適宜設計するが、双方とも概ね２〜４０ｃｍ程度とすればよい。中央易折れ部１０と側部易折れ部１１とは必ずしも等幅である必要はなく、また、左右の側部易折れ部同士も必ずしも等幅である必要はない。
ここで各易折れ部は、吸収性物品を構成する材質の特性を考慮して、使用に問題ない範囲で意図的に折れ、撓み等に対する若干の脆弱性を付与した部分であり、折れ易さに付随して撓み易く、皺になり易い機能も有する。
本形態では、吸収コアに押圧加工を施して薄厚部を形成することで折れ等に対する脆弱性を付与して易折れ部を形成している。
【００２７】
易折れ部はその他、例えば、吸収コアに１本又は複数のスリット線を部分的に配して折れ等に対する脆弱性を付与したり、吸収コアの繊維密度や目付け量を部分的に疎にしたりすることで形成することができる。目付け量の差により易折れ部を形成するのであれば、易折れ部以外の部分の目付け量を３００〜５００ｇ／ｍ2、易折れ部の目付け量を０〜１００ｇ／ｍ2とするのがよい。
吸収コアに薄厚部を設けるにあたっては、押圧加工のほか例えばエンボス加工や、吸収コア製造用の積繊ドラムの表面に設けられている実質的に積繊パルプ等を堆積させて型成する積繊領域に、部分的に積繊パルプ等が積繊されないようにする凸部を適当に配置することで製造が可能である。
また、易折れ部１０，１１を薄厚部で構成するにあたって、当該易折れ部１０，１１の吸収性低下を懸念するのであれば、例えば、吸収体３を複数の吸収コアを積層した構造とすることでこれを効果的に回避できる。もちろん、易折れ部１０，１１を薄厚部により構成する場合に限らず、他の構成により易折れ部１０，１１を形成する場合でも、積層構造の吸収体を採用することができる。
【００２８】
そして、このように吸収体を積層するのであれば、図６及び７に示す吸収コアのように、一方の吸収コア３Ａに中央易折れ部１０、他方の吸収コア３Ｂに側部易折れ部１１，１１を形成してもよい。１つの吸収コアに、中央及び側部の両易折れ部を設ける場合と比較して、製造時に易折れ部形成に起因する吸収コア破損のおそれが格段に小さくなる。
そして、このように中央易折れ部１０と側部易折れ部１１とを別の吸収コアに設ける場合には、図示例のとおり、中央易折れ部１０を有する吸収コア３Ａを肌当接面に近い側に位置させるのがよい。また、中央易折れ部１０を設けた吸収コアの幅よりも、肌当接面から遠い位置にある側部易折れ部を有する吸収コアの幅を幅広にするのがよい。この場合、より好適には、側部易折れ部が、中央易折れ部を有する吸収コアの側縁よりも幅方向に外方に延在されているのがよい。
【００２９】
装着時には、股間部に位置する中央易折れ部１０のほうが強い折れの力が作用するため、肌当接面に近い位置に中央易折れ部１０を有する幅狭の吸収コア３Ａがある構造の吸収体としたほうが、体の形状に沿ってフィットし易くなる。また、肌当接面に近い吸収コアに側部易折れ部が形成されていないので、当該吸収コア両側縁部における液吸収性が確保される。特に股間部の両側縁近傍における液吸収性が確保される。そして、当該側縁部は中央易折れ部での折れにより肌当接面側に起立するようになるので、股間部における横漏れが極めて効果的に防止される。さらに、側部易折れ部が中央易折れ部を有する吸収コア側縁より外方に延在していると、側部易折れ部の効果がより発揮されやすくなる。
他方、上述の積層構造する場合において、薄厚部ではなく目付け量の差によって易折れ部を設けるのであれば、肌当接面に近い吸収コアの目付け量を１００〜２００ｇ／ｍ2、肌当接面から遠い吸収コアの目付け量２００〜３００ｇ／ｍ2とし、各易折れ部の目付け量を０〜９０ｇ／ｍ2とするのがよい。肌当接面に近い吸収コアが折れ易く、しかも、遠い吸収コアの液吸収量が高く、好ましい構造となる。
【００３０】
他方、本形態の使い捨ておむつでＸ１は、中央易折れ部１０の背側端側近傍２０が、他の部分よりも体液の吸収性が高められている。
吸収性を高める範囲の具体的な広さや形状は、例えば、大人用であるとか子供用であるとか、対象とするおむつの大きさに応じて適宜設計すればよい。中央易折れ部の幅よりも広く、中央易折れ部１０の背側端１０ｂと物品の背側縁Ｅ２との間に介在するように配するのが望ましい。より好適には中央易折れ部１０に連続しつつその背側端部１０ｂを囲むように配する。
このように中央易折れ部１０の背側端部１０ｂ近傍に高液吸収領域２０を配することで、特に仰臥位の際に中央易折れ部１０に沿って背側に導かれる体液の背側端Ｅ２からの漏れが防止される。
ここで、高液吸収領域２０は、本形態では中央易折れ部１０の背側の端部１０ｂ近傍にのみ形成しているが、背側の端部１０ｂ近傍に代えて又は背側の端部１０ｂ近傍とともに、腹側の端部１０ａ近傍にも形成してもよい。
【００３１】
なお、液吸収性とは、本発明では特に液保持量と液吸収速度の少なくとも一方の機能のことである。本形態では、その双方の機能が高められており、すなわち、当該部分においては他の部分と比較して体液の吸収速度が速く、また液吸収量も多くなるように構成されている。
液吸収速度を高めるには、各易折れ部１０，１１の機能を損なわない範囲で、例えば、吸収体の当該部分の繊維密度を低下させるなど、吸収性物品に用いられる従来の液吸収速度を高める技術を採り得る。液拡散性を高める目的で表面シートを吸収体との間に介在される所謂セカンドシートを該部位に位置せしめても良い。また、該部分に高吸収性ポリマーを他の部分より多く配したり、吸収速度の速い高吸収性ポリマーを部分的に配したりしてもよい。どの程度の吸収速度を高めるかは適宜定めればよい。
液保持量を高めるには、易折れ部１０，１１の機能を損なわない範囲で、例えば、吸収体の当該部分の繊維密度を高めるなど、吸収性物品に用いられる従来の液吸収速度を高める技術を用いうる。該部分に高吸収性ポリマーを他の部分より多く配したり、高吸収量の高吸収性ポリマーを部分的に配したりしてもよい。どの程度の液保持量とするかは適宜定めればよい。
【００３２】
以上詳述の本形態の使い捨ておむつでは、装着時に中央易折れ部１０で折れて撓むことで幅狭の股間部において好適にフィットするようになる。
さらに、中央易折れ部１０と、一対でＶ字状の側部易折れ部１１，１１により形成される三叉形状部分との折れと撓みにより放射状に皺が形成され、股間から臀裂及び臀溝にかけて広がる放射状の窪み部分に好適にフィットするようになる。
そのうえ側部易折れ部１１の折れと撓みにより、臀溝に追随してフィットするにようにもなる。
【００３３】
『第２の実施の形態』
第２の実施の形態は、第１の実施の形態における側部易折れ部１１，１１の配置を、前後方向中心線Ｃで概ね線対象にした形態である。すなわち、上記第１の実施の形態Ｘ１では、背側縁Ｅ２に向かって長く延在する側部易折れ部１１，１１を有する形態であったが、本第２の実施の形態は、腹側縁Ｅ１に向かって長く延在する一対で略Ｖ字状又は略ハ字状の側部易折れ部１１，１１を有する形態である。その他の構成については、第１の実施の形態と同様である。
従って、本形態は、中央易折れ部１０は背側に長く延在され、その背側端１０ｂは、おむつ本体Ｚの背側縁Ｅ２から所定距離離間した位置にあり、腹側端１０ａはおむつ本体Ｚの股間部Ｍ又は股間部Ｍよりも若干腹側に位置されている。少なくともこの腹側端１０ｂはおむつ本体Ｚの前後方向の中心Ｃよりも腹側縁Ｅ１に近い位置にある。
おむつ本体Ｚの腹側縁Ｅ１と前記一方端１０ａとの間の離間距離は、おむつ本体の大きさによらず、３ｃｍ以上、７ｃｍ以上離間させるのが望ましい。３ｃｍ未満であると中央易折れ部に沿って導かれる体液が腹側縁から漏れるおそれが高くなる。
また、本形態における中央易折れ部１０の他方端１０ｂの位置は、所謂大人用おむつで０．５〜７ｃｍ程度、所謂子供用おむつで０．１〜５ｃｍ程度、前後方向の中心よりも背側に位置している。中央易折れ部の具体的な長さについては、上記各端の位置に応じて適宜の長さとされる。
なお、図示はしないが、本形態の他の例として、中央易折れ部が背側に長くなるように延在している形態もとり得る。
本形態では高吸収性領域２０は、腹側縁Ｅ１に近い端１０ａ近傍に設けられている。
一方、側部易折れ部１１，１１の、腹側縁Ｅ１に近い一方端１０ａの具体的な位置は、おむつ本体Ｚの形状及び大きさによって相違し、例えば、所謂大人用おむつであれば、おむつ本体Ｚの幅方向中心線Ｐから３〜１３ｃｍ程度、前後方向中心線Ｃから１〜２５ｃｍ程度離間した位置が該当し、所謂子供用おむつであれば、おむつ本体の幅方向中心線Ｐから１〜５ｃｍ程度、前後方向中心線Ｃから０．５〜１５ｃｍ程度離間した位置とするのがよい。
側部易折れ部１１，１１の背側端１１ｂは、前後方向の中央部、すなわち股間部Ｍ又は、股間部Ｍよりも若干背側又は腹側位置にあれば特に限定されない。好適には、所謂大人用おむつであれば前後方向の中心から前後方向に２〜６ｃｍ程度の範囲、子供用であれば１〜４ｃｍ程度の範囲に位置せしめるのが望ましい。
本形態では、特に中央易折れ部１０と一対でＶ字状の側部易折れ部により形成される三叉形状部分の折れと撓みにより放射状に皺が形成され、腹側において股間から鼠径部にかけて広がる放射状の窪み部分に好適にフィットするようになる。
また、また、側部易折れ部の折れと撓みにより、鼠径部に追随してフィットするにようにもなる。
【００３４】
『第３の実施の形態』
第１及び第２の実施の形態は、腹側、背側の何れかの縁に向かう一対で略Ｖ字状等の側部易折れ部を有する形態であるが、本形態は、前後方向中央部から腹側縁Ｅ１に向かう一対の側部易折れ部１１Ａ，１１Ａと前後方向中央部から背側縁Ｅ２に向かう一対の側部易折れ部１１Ｂ，１１Ｂ、を有する形態である。その他の構成については、第１の実施の形態と同様である。
中央易折れ部１０は、図示の形態では、おむつ本体Ｚの幅方向中央において、一方端１０ａを腹側縁Ｅ１から所定距離した位置に有し、そこから股間部Ｍを介して、背側縁Ｅ２から所定距離離間した位置まで延在されている。もちろん、第１及び第２の実施の形態において示したような、腹側、背側の何れかの側にオフセットされている形態も採り得る。
本形態では、高液吸収領域を中央易折れ部の背側及び腹側の端部１０ａ，１０ｂの双方に配されており、各縁Ｅ１，Ｅ２からの漏れが好適に防止されている。
各縁Ｅ１，Ｅ２から中央易折れ部の各端１０ａ，１０ｂとの間の離間距離は、第１及び第２の実施の形態で述べたとおりである。
本形態では、第１及び第２の実施形態の使い捨ておむつによる得られる効果の両方の効果を奏する。
【産業上の利用可能性】
【００３５】
本発明は、止着式の使い捨ておむつのほか、パンツ型の使い捨ておむつ、生理用ナプキン、尿パッドなど、特に股間部を介して前後身頃に至るまで延在し、その前後身頃部分が少なくとも脚の付け根位置を被覆して装着される体液吸収性物品に対して利用可能である。
【図面の簡単な説明】
【００３６】
【図１】第１の実施の形態に係る使い捨ておむつの平面図である。
【図２】図１のＩＩ−ＩＩ線断面図である。
【図３】第１の実施の形態の他の例の使い捨ておむつの平面図である。
【図４】第１の実施の形態の別の例の使い捨ておむつの平面図である。
【図５】第１の実施の形態のさらに別の例の使い捨ておむつの平面図である。
【図６】第１の実施の形態に用い得る吸収コアの他の例の平面図である。
【図７】そのＶＩＩ−ＶＩＩ断面図である。
【図８】第２の実施の形態の係る使い捨ておむつの平面図である。
【図９】第３の実施の形態の係る使い捨ておむつの平面図である。
【符号の説明】
【００３７】
１…透液性表面シート、２…不透液性裏面シート、３…吸収体、２０…高液吸収性領域、４…止着片、５…係止部、６…脚周り弾性伸縮部材、１０…中央易折れ部、１０ａ…中央易折れ部腹側端、１０ｂ…中央易折れ部背側端、１１…側部易折れ部、１１ａ…側部易折れ部腹側端、１１ｂ…側部易折れ部背側端、４１…雄材、  Ｅ１…前後方向腹側縁、Ｅ２…前後方向背側縁、ＥＬ…脚周り縁、Ｆ…腹側部、Ｂ…背側部、Ｍ…股間部、Ｃ…おむつ本体前後方向中心線、Ｚ…おむつ本体、Ｘ１…使い捨ておむつ。
【図１】
2008183160.tif 000003
【図２】
2008183160.tif 000004
【図３】
2008183160.tif 000005
【図４】
2008183160.tif 000006
【図５】
2008183160.tif 000007
【図６】
2008183160.tif 000008
【図７】
2008183160.tif 000009
【図８】
2008183160.tif 000010
【図９】
2008183160.tif 000011